(57)【要約】【課題】ボルト締結に際してグロメットに捩り変形が発生しにくく、もって締結に緩みが生じにくい構造を提供する。【解決手段】ゴム状弾性体によって筒状に成形されたグロメット１であって、外周面にグロメット１を一方の取付部材２１に取り付けるための溝状取付部２を有し、中心部にグロメット１を他方の取付部材２２に取り付ける取付ボルト２３を差し通すためのボルト挿通孔３を有し、ボルト締結に際して軸方向一端面４を取付ボルト２３の頭部または座金２４に当接させるとともに軸方向他端面５を他方の取付部材２２に当接させるグロメット１において、前記ゴム状弾性体よりも摩擦係数の小さな材質よりなる端面プレート６，７を少なくとも一方の軸方向端面４，５に固定する。【選択図】図１
2008291934.tif 000002
【特許請求の範囲】
【請求項１】
ゴム状弾性体により筒状に成形されたグロメットであって、外周面に当該グロメットを一方の取付部材に取り付けるための溝状取付部を有し、中心部に当該グロメットを他方の取付部材に取り付ける取付ボルトを差し通すためのボルト挿通孔を有し、ボルト締結に際して軸方向一端面を前記取付ボルトの頭部またはこれに組み付ける座金に当接させるとともに軸方向他端面を前記他方の取付部材に当接させる構造を有するグロメットにおいて、
前記ゴム状弾性体よりも摩擦係数の小さな材質よりなる端面プレートを少なくとも一方の軸方向端面に固定したことを特徴とするグロメット。
【発明の詳細な説明】
【技術分野】
【０００１】
本発明は、グロメットに関する。本発明のグロメットは、自動車または一般産業用機械等における防振技術分野に広く用いられる。
【背景技術】
【０００２】
従来から図２に示すように、ゴム状弾性体により筒状に成形されたグロメット５１が知られており、このグロメット５１は、その外周面に当該グロメット５１を一方の取付部材２１に取り付けるための溝状取付部５２を有するとともに、その中心部に当該グロメット５１を他方の取付部材２２に取り付ける取付ボルト２３を差し通すためのボルト挿通孔５３を有している。またこのグロメット５１は、ボルト締結に際してその軸方向一端面５４を取付ボルト２３の頭部またはこれに組み付ける座金２４に当接させるとともにその軸方向他端面５５を前記他方の取付部材２２に当接させる構造とされている。この種のグロメット５１については、前記取付部材２２に対して着脱可能なことが求められることから、取付ボルト２３によるねじ込み手段が利用されている。
【０００３】
しかしながら、上記構成によると、ボルト締結に際して、グロメット５１を構成するゴム状弾性体の軸方向一端面５４が取付ボルト２３の頭部またはこれに組み付ける座金２４に直接当接するとともに軸方向他端面５５が取付部材２２に直接当接することから、ゴム状弾性体の摩擦係数が大きいことを原因として、各軸方向端面５４，５５が円周方向に滑りにくく、よってねじ込みトルクが作用するとグロメット５１に捩り変形が発生する。これは、取付ボルト２３の頭部またはこれに組み付ける座金２４に当接する軸方向一端面５４は滑りにくいことから取付ボルト２３のねじ込みに共回りするのに対して、取付部材２２に当接する軸方向他端面５５は同じく滑りにくいことから取付ボルト２３のねじ込みにほとんど共回りせず、よって円周方向の変位を生じることから、グロメット５１に捩り変形が発生する。したがって取付作業後、グロメット５１に捩り変形を解消しようとする弾性復帰力が作用することから、締結に緩みが生じることがある。
【０００４】
【特許文献１】特開２００１−０５０２４９（図３）
【発明の開示】
【発明が解決しようとする課題】
【０００５】
本発明は以上の点に鑑みて、ボルト締結に際してグロメットに捩り変形が発生しにくく、もって締結に緩みが生じにくいグロメットを提供することを目的とする。
【課題を解決するための手段】
【０００６】
上記目的を達成するため、本発明のグロメットは、ゴム状弾性体により筒状に成形されたグロメットであって、外周面に当該グロメットを一方の取付部材に取り付けるための溝状取付部を有し、中心部に当該グロメットを他方の取付部材に取り付ける取付ボルトを差し通すためのボルト挿通孔を有し、ボルト締結に際して軸方向一端面を前記取付ボルトの頭部またはこれに組み付ける座金に当接させるとともに軸方向他端面を前記他方の取付部材に当接させる構造を有するグロメットにおいて、前記ゴム状弾性体よりも摩擦係数の小さな材質よりなる端面プレートを少なくとも一方の軸方向端面に固定したことを特徴とするものである。
【発明の効果】
【０００７】
本発明は、以下の効果を奏する。
【０００８】
すなわち、上記構成を有する本発明のグロメットにおいては、当該グロメットの軸方向端面に端面プレートが固定されているために、軸方向端面に代わって端面プレートが取付ボルトの頭部もしくはこれに組み付ける座金または取付部材に当接し、この端面プレートはゴム状弾性体よりも摩擦係数の小さな材質によって成形されているために、比較的円周方向に滑りやすい。したがって、ねじ込みトルクが作用すると端面プレートが円周方向に滑ってこの分、グロメットに発生する捩り変形が減少することから、ボルト締結を緩めようとする力も減少することになる。したがって本発明所期の目的どおり、ボルト締結に際してグロメットに捩り変形が発生しにくく、もって締結に緩みが生じにくいグロメットを提供することができる。
【０００９】
また、グロメットの軸方向両端面にそれぞれ端面プレートが固定される場合には、グロメット取り付けの方向性がなくなることから、取付作業を容易化することができる。
【発明を実施するための最良の形態】
【００１０】
尚、本発明には、以下の実施形態が含まれる。
（１）グロメットの要求機能として取り外しが可能のことが挙げられている。そのためボルト・ナット等で締結している。しかし、締結する際グロメットが供回りをしてしまい、ゴム部に捩れ方向の力が加わったままで締結されてしまうことがあり、その結果、ボルト・ナットの緩みの原因となる。
（２）本発明では上記問題の解決をねらい、一方の端面または上下の両端面にゴムより摩擦係数が小さい樹脂等のプレートを加硫接着させ、ゴムと樹脂を一体構造とする。
（３）本発明では、上下の端面に樹脂等のプレートを加硫接着することで、従来のゴム接触の締結に比べ、摩擦係数μを小さくすることができ、締結時の摩擦抗力Ｆを小さくすることができ、グロメットの捩れを防止することができる。摩擦抗力は以下の式で表せる。
Ｆ＝μＮ（Ｎ＝垂直抗力）
（４）また、樹脂等のプレートとゴムを一体成形することにより組み付け時の樹脂等のプレートの入れ忘れを防止できる。
（５）また、上下の両端面に樹脂等のプレートを取り付けた場合、方向性をなくし取り付け時のミスをなくすことができる。
（６）ゴムより摩擦係数が小さい樹脂等のプレートを一方の端面または上下の両端面に設置することで、摩擦抵抗を小さくする。樹脂等のプレートとゴムを加硫成形し一体構造にする。上記の形状を組み合わせることで、グロメットの捩れを防止することができる構造となる。
（７）グロメットの上下端面に樹脂等のプレートが加硫接着されており、取り付け面と樹脂等のプレートを接触させる。
【実施例】
【００１１】
つぎに本発明の実施例を図面にしたがって説明する。
【００１２】
図１は、本発明の実施例に係るグロメット１の装着状態の断面を示しており、当該実施例に係るグロメット１は以下のように構成されている。
【００１３】
すなわち先ず、グロメット１は、所定のゴム状弾性体によって筒状（円筒状）に成形されており、その外周面に当該グロメット１を一方の取付部材２１に取り付けるための溝状取付部２が設けられるとともに、その中心部に当該グロメット１を他方の取付部材２２に取り付ける取付ボルト２３を差し通すためのボルト挿通孔３が設けられている。図示するように取付ボルト２３は、その頭部の内側に配置される座金（ワッシャ）２４および、その外周に配置されるスリーブ２５とともに組み付けられることになる。
【００１４】
また、グロメット１は、ボルト締結に際して、その軸方向一端面（図では下端面）４を取付ボルト２３の頭部またはこれに組み付ける座金２４（図では座金２４）に当接させるとともにその軸方向他端面（図では上端面）５を他方の取付部材２２に当接させるものであるが、これらが直接当接しないよう、両軸方向端面４，５にそれぞれ端面プレート６，７が固定されている。
【００１５】
端面プレート６，７はそれぞれ、グロメット１本体を構成するゴム状弾性体よりも摩擦係数の小さな樹脂等の材質によって平板状の環状体に成形され、軸方向端面４，５に加硫成形により一体化されている。
【００１６】
上記構成のグロメット１を取付箇所に取り付けるに際しては先ず、当該グロメット１を一方の取付部材２１に設けた孔部２１ａに圧入して、孔部２１ａの開口周縁部に溝状取付部２を係合することにより、当該グロメット１を一方の取付部材２１に取り付ける。次いで、スリーブ２５および座金２４を組み付けるとともに取付ボルト２３をボルト挿通孔３に差し込んで、他方の取付部材２２に設けたねじ孔２２ａにねじ込んでゆく。
【００１７】
ねじ込みが進むと、グロメット１は軸方向に圧縮され、その反力により下側の端面プレート６が座金２４に強く押し付けられるが、端面プレート６は摩擦係数が小さいことから、座金２４に対して相対に滑り、座金２４の回転に共回りしにくい。したがって、ゴム状弾性体製のグロメット１本体に捩り変形が発生するのを抑制することができる。
【００１８】
また、座金２４の表面粗さが粗いなど何らかの理由によって下側の端面プレート６が共回りすると、トルクが伝わった時点で上側の端面プレート７が他方の取付部材２２の取付面に対して滑り、座金２４の回転に共回りする。したがってやはり、ゴム状弾性体製のグロメット１本体に捩り変形が発生するのを抑制することができる。
【００１９】
したがって以上の作動により、ボルト締結に際してグロメット１に捩り変形が発生しにくく、もって締結に緩みが生じにくい構造を提供することができる。
【００２０】
また、上記構成によれば、グロメット１の軸方向両端面４，５にそれぞれ端面プレート６，７が固定されているために、グロメット１を取り付けるに際して軸方向の方向性がなくなる。したがって、グロメット１を軸方向反対向きに取り付けてしまうと云ったミスがなくなることから、取付作業を容易化することができる。
【００２１】
尚、上記実施例では、グロメット１の軸方向両端面４，５にそれぞれ端面プレート６，７が固定されているが、何れか一方の端面４，５のみに端面プレート６，７を固定するようにしても良く、グロメット１の軸方向一端面４のみに端面プレート６を固定した場合には、このプレート６が座金２４に対して滑り、またグロメット１の軸方向他端面５のみに端面プレート７を固定した場合には、このプレート７が他方の取付部材２２の取付面に対して滑ることから、何れの場合もボルト締結に際してグロメット１に捩り変形が発生しにくく、もって締結に緩みが生じにくい構造を提供することができる。
【図面の簡単な説明】
【００２２】
【図１】本発明の実施例に係るグロメットの断面図
【図２】従来例に係るグロメットの断面図
【符号の説明】
【００２３】
１  グロメット
２  溝状取付部
３  ボルト挿通孔
４  軸方向一端面
５  軸方向他端面
６，７  端面プレート
２１  一方の取付部材
２１ａ  孔部
２２  他方の取付部材
２２ａ  ねじ孔
２３  取付ボルト
２４  座金
２５  スリーブ
【図１】
2008291934.tif 000003
【図２】
2008291934.tif 000004